(57)【要約】【課題】  印刷配線基板に設けられている複数の印刷配線基板用半田付けパッドとフレキシブル配線基板に設けられている複数のフレキシブル配線基板用半田付けパッドとを半田付けする場合に基板の位置ずれに基づいて発生する問題を解決する。【解決手段】  印刷配線基板１に連設して設けられている複数の印刷配線基板用半田付けパッド３とフレキシブル配線基板４に連設して設けられているとともに前記印刷配線基板用半田付けパッド３と対向するべく設けられている複数のフレキシブル配線基板用パッド６とを半田付けするように構成し、前記印刷配線基板用半田付けパッド３の間隔と前記フレキシブル配線基板用半田付けパッド６の間隔を一致させるとともに一方のパッドの幅に対して他方のパッドの幅を狭くする。【選択図】  図１
2013120877.tif 000002
【特許請求の範囲】
【請求項１】
印刷配線基板に連設して設けられている複数の印刷配線基板用半田付けパッドとフレキシブル配線基板に連設して設けられているとともに前記印刷配線基板用半田付けパッドと対向するべく設けられている複数のフレキシブル配線基板用パッドとを半田付けするように構成された印刷配線基板であり、前記印刷配線基板用半田付けパッドの間隔と前記フレキシブル配線基板用半田付けパッドの間隔を一致させるとともに一方のパッドの幅に対して他方のパッドの幅を狭くしたことを特徴とする印刷配線基板。
【請求項２】
複数設けられている印刷配線基板用半田付けパッドの幅を同一にするとともに複数設けられているフレキシブル配線基板用半田付けパッドの幅を同一にしたことを特徴とする請求項１に記載の印刷配線基板。
【請求項３】
印刷配線基板とフレキシブル配線基板とが規定の位置にあるとき、印刷配線基板用半田付けパッドの中心位置とフレキシブル印刷配線基板用パッドの中心位置とが対向するようにしたことを特徴とする請求項２に記載の印刷配線基板。
【発明の詳細な説明】
【技術分野】
【０００１】
本発明は、印刷配線基板に設けられている印刷配線基板用半田付けパッドとフレキシブル配線基板に設けられているフレキシブル配線基板用半田付けパッドとを半田付けする場合に有用な印刷配線基板に関する。
【背景技術】
【０００２】
光ディスクに記録されている信号を光ピックアップ装置と呼ばれる光学装置から放射されるレーザー光を利用して読み出す再生動作や光ディスクへの信号の記録動作を行うことが出来る光ディスク装置が一般に普及している。
【０００３】
前述した光ピックアップ装置には、レーザーダイオードから放射されるレーザー光を光ディスクに設けられている信号記録層に集光させる対物レンズが組み込まれている。斯かる対物レンズは、レーザー光の集光位置を信号記録層に合わせるフォーカス制御動作によって光ディスクの信号面に対して垂直方向へ変位せしめられるとともにレーザー光の集光動作にて生成されるスポットを信号トラックに追従させるトラッキング制御動作によって光ディスクの径方向へ変位せしめられるように構成されている。
【０００４】
前述した対物レンズのフォーカス制御動作及びトラッキング制御動作のための変位駆動動作は、対物レンズが搭載されているレンズホルダーに設けられているフォーカシングコイル及びトラッキングコイルに駆動信号を供給することによって行われるように構成されている。
【０００５】
また、光ピックアップ装置は、光ディスクの信号記録層から反射されるレーザー光が照射される光検出器を備えており、斯かる光検出器から得られるフォーカスエラー信号及びトラッキングエラー信号を利用して前述したフォーカス制御動作及びトラッキング制御動作を行うように構成されている。そして、前記光検出器にて得られる信号を復調することによって光ディスクに記録されている信号の抽出再生動作を行うように構成されている。
【０００６】
前述した光ピックアップ装置では、光ディスク装置から光ピックアップ装置に組み込まれている光検出器、該光検出器から得られる信号から各種の制御信号を生成する光ピックアップ用制御回路、フォーカシングコイル、トラッキングコイル及びレーザー光を放射するレーザーダイオード等へ動作電源が供給されるように構成されている。
【０００７】
そして、光ピックアップ装置に組み込まれている前述した光ピックアップ用制御回路等の電気回路は、配線パターンが印刷形成されている印刷配線基板に組み込まれているとともに各電気回路への電源供給動作及び制御信号の供給動作はフレキシブル配線基板を通して行うように構成されている。（特許文献１参照。）
【先行技術文献】
【特許文献】
【０００８】
【特許文献１】特開２０１１−２０４３１５号公報
【発明の概要】
【発明が解決しようとする課題】
【０００９】
図５及び図６は従来の印刷配線基板とフレキシブル配線基板との関係を説明するための図である。同図において、１は前述した光ピックアップ用制御回路等が組み込まれている印刷配線基板であり、パターン２が印刷配線されているとともにそのパターン２の端部に
は、複数の印刷配線基板用半田付けパッド３が図示したように連設して設けられている。
【００１０】
４は前記印刷配線基板１に組み込まれている電気回路である光ピックアップ用制御回路等と光ディスク装置に組み込まれている電源回路等の電気回路とを接続するパターン５が配線されているフレキシブル配線基板であり、各パターン５の端部には、複数のフレキシブル配線基板用半田付けパッド６が図示したように連設して設けられている。
【００１１】
斯かる構成において、前記印刷配線基板１に連設されている複数の印刷配線基板用半田付けパッド３の間隔とフレキシブル配線基板４に連設されている複数のフレキシブル配線基板用半田付けパッド６の間隔は同一になるように、また印刷配線基板用半田付けパッド３の幅とフレキシブル配線基板用半田付けパッド６の幅とは同一になるように構成されている。
【００１２】
図５は印刷配線基板１とフレキシブル配線基板４が規定の位置、即ち最良の位置にある状態を示すものであり、複数の印刷配線基板用半田付けパッド３の位置とフレキシブル配線基板用半田付けパッド６の位置とが合致している。斯かる状態において、印刷配線基板用半田付けパッド３とフレキシブル配線基板用半田付けパッド６との間を半田付けすることによって印刷配線基板１に設けられているパターン２とフレキシブル配線基板４に設けられているパターン５とを電気的に接続することが出来る。
【００１３】
以上に説明したように印刷配線基板１に設けられている複数の印刷配線基板用半田付けパッド３とフレキシブル配線基板４に設けられている複数のフレキシブル配線基板用半田付けパッド６との半田付け作業は行われるが、組立作業時に印刷配線基板１の位置とフレキシブル配線基板４の位置とがずれることがある。
【００１４】
図６は印刷配線基板１の位置とフレキシブル配線基板４の位置が規定の位置よりずれた状態を示すものである。斯かる図面より明らかなように印刷配線基板１の位置とフレキシブル配線基板４の位置がずれると印刷配線基板用半田付けパッド３の位置とフレキシブル配線基板用半田付けパッド６の位置もずれるので、隣の半田付けパターン同士が近接することになる。
【００１５】
斯かる状態において、半田付け作業を行うと所望の半田付けパッド間の半田付けが行われないという問題や半田付けしてはならない半田付けパッド間の半田付けが行われるという問題がある。最近、異なる規格の光ディスクに記録されている信号の読み出し動作を行うために異なる波長のレーザー光を放射する複数のレーザーダイオードが組み込まれた光ピックアップ装置が製品化されており、斯かる光ピックアップ装置では構成の複雑化が避けられない。そして、斯かる光ピックアップ装置では、機能の増加に伴って制御回路が複雑になり、電源及び制御信号等の供給動作を行うための配線パターンの数が増加するので、それに伴って半田付けパッドの間隔が狭くなり、前述した問題が発生することになる。
【００１６】
本発明は、斯かる問題を解決することが出来る印刷配線基板を提供しようとするものである。
【課題を解決するための手段】
【００１７】
本発明は、印刷配線基板に連設して設けられている複数の印刷配線基板用半田付けパッドとフレキシブル配線基板に連設して設けられているとともに前記印刷配線基板用半田付けパッドと対向するべく設けられている複数のフレキシブル配線基板用パッドとを半田付けするように構成された印刷配線基板において、前記印刷配線基板用半田付けパッドの間隔と前記フレキシブル配線基板用半田付けパッドの間隔を一致させるとともに一方のパッドの幅に対して他方のパッドの幅を狭くしたことを特徴とするものである。
【００１８】
また、本発明は、複数設けられている印刷配線基板用半田付けパッドの幅を同一にするとともに複数設けられているフレキシブル配線基板用半田付けパッドの幅を同一にしたことを特徴とするものである。
【００１９】
そして、本発明は、印刷配線基板とフレキシブル配線基板とが規定の位置にあるとき、印刷配線基板用半田付けパッドの中心位置とフレキシブル印刷配線基板用パッドの中心位置とが対向するようにしたことを特徴とするものである。
【発明の効果】
【００２０】
本発明の印刷配線基板は、印刷配線基板用半田付けパッドの間隔とフレキシブル配線基板用半田付けパッドの間隔を一致させるとともに一方のパッドの幅に対して他方のパッドの幅を狭くしたので、印刷配線基板とフレキシブル配線基板の位置が多少ずれても一方の半田付けパッドの幅の中に他方の半田付けパッドが位置することになるので両パッド間の半田付けを確実に行うことが出来るだけでなく隣接するパッドに対する誤った半田付けを防止することが出来る。
【図面の簡単な説明】
【００２１】
【図１】本発明に係る印刷配線基板の実施例１を示す図である。
【図２】本発明の実施例１の異なる状態を示す図である。
【図３】本発明に係る印刷配線基板の実施例２を示す図である。
【図４】本発明の実施例２の異なる状態を示す図である。
【図５】従来の印刷配線基板を示す図である。
【図６】従来の印刷配線基板の異なる状態を示す図である。
【発明を実施するための形態】
【００２２】
光ディスクに記録されている信号の読み出し動作等を行う光ピックアップ装置に組み込まれている印刷配線基板と他の回路とを電気的に接続するために使用されるフレキシブル配線基板に設けられている半田付けパッドと印刷配線基板に設けられている半田付けパッドとを半田付けする場合に両パッドの位置ずれに伴って発生する問題を半田付けパッドの幅を相違させることによって解決することが出来る印刷配線基板を提供する。
【実施例１】
【００２３】
図１及び図２は本発明の印刷配線基板の実施例１を示すものであり、図５に示した従来の印刷配線基板と同一の部材には同一の符号を付している。
【００２４】
本実施例１は、図１より明らかなように印刷配線基板１に配線されているパターン２の端部に形成されている印刷配線基板用半田付けパッド３の幅をフレキシブル配線基板４に配線されているパターン５の端部に形成されているフレキシブル配線基板用半田付けパッド６の幅より狭くしたことを特徴とするものである。
【００２５】
前記印刷配線基板１に形成されている複数の印刷配線基板用半田付けパッド３は、図示したように連設されているが、その間隔は前記フレキシブル配線基板４に形成されているフレキシブル配線基板用半田付けパッド６の間隔と同一になるように形成されているとともに印刷配線基板用半田付けパッド３の幅は同一になるように構成されている。
【００２６】
そして、前記フレキシブル配線基板４に形成されている複数のフレキシブル配線基板用半田付けパッド６の幅は同一になるように構成されている。
【００２７】
更に、印刷配線基板１とフレキシブル配線基板４とが図１に示す規定の位置、即ち最良
の位置関係にあるとき、印刷配線基板用半田付けパッド３の中心位置とフレキシブル配線基板用半田付けパッド６の中心位置とが対向するように設定されている。斯かる状態にあるとき、印刷配線基板用半田付けパッド３とフレキシブル配線基板用半田付けパッド６とが対向する部分に半田を溶解させるとともにその後に冷却することによって両半田付けパッド間を良好に半田付けすることが出来る。
【００２８】
前述した半田付け作業を行う場合に印刷配線基板１の位置とフレキシブル配線基板４の位置とは常に図１に示す良好な位置関係になることはなく、両者の位置がずれることがある。
【００２９】
図２は印刷配線基板１の位置とフレキシブル配線基板４の位置とが図６に示す従来例と同様にずれた状態を示すものである。斯かる図面より明らかなようにフレキシブル配線基板用半田付けパッド６の幅内に印刷配線基板用半田付けパッド３が位置するので、フレキシブル配線基板用半田付けパッド６と印刷配線基板用半田付けパッド３とを正確に半田付けすることが出来る。また、斯かる図面より明らかなように印刷配線基板１とフレキシブル配線基板４とがずれても印刷配線基板用半田付けパッド３と隣のフレキシブル配線基板用半田付けパッド６との間の距離を十分空けることが出来るので、隣のパッド同士が半田付けされることはない。
【実施例２】
【００３０】
図３及び図４は本発明の印刷配線基板の実施例２を示すものであり、図５に示した従来の印刷配線基板と同一の部材には同一の符号を付している。
【００３１】
本実施例２は、図３より明らかなように印刷配線基板１に配線されているパターン２の端部に形成されている印刷配線基板用半田付けパッド３の幅をフレキシブル配線基板４に配線されているパターン５の端部に形成されているフレキシブル配線基板用半田付けパッド６の幅より広くしたことを特徴とするものである。
【００３２】
本実施例２は、前述した実施例１と同様に前記印刷配線基板１に形成されている複数の印刷配線基板用半田付けパッド３は、図示したように連設されているとともにその間隔は前記フレキシブル配線基板４に形成されているフレキシブル配線基板用半田付けパッド６の間隔と同一になるように形成され、且つ印刷配線基板用半田付けパッド３の幅は同一になるように構成されている。
【００３３】
そして、前記フレキシブル配線基板４に形成されている複数のフレキシブル配線基板用半田付けパッド６の幅は同一になるように構成されている。
【００３４】
更に、実施例１と同様に印刷配線基板１とフレキシブル配線基板４とが図３に示す規定の位置、即ち最良の位置関係にあるとき、印刷配線基板用半田付けパッド３の中心位置とフレキシブル配線基板用半田付けパッド６の中心位置とが対向するように設定されている。斯かる状態にあるとき、印刷配線基板用半田付けパッド３とフレキシブル配線基板用パッド６とが対向する部分に半田を溶解させるとともにその後に冷却することによって両パッド間を良好に半田付けすることが出来る。
【００３５】
前述した半田付け作業を行う場合に印刷配線基板１の位置とフレキシブル配線基板４の位置とは常に図３に示す良好な位置関係になることはなく、両者の位置がずれることがある。
【００３６】
図４は印刷配線基板１の位置とフレキシブル配線基板４の位置とが図６に示す従来例と同様にずれた状態を示すものである。斯かる図面より明らかなように印刷配線基板用半田
付けパッド３の幅内にフレキシブル配線基板用半田付けパッド６が位置するので、印刷配線基板用半田付けパッド３とフレキシブル配線基板用半田付けパッド６とを正確に半田付けすることが出来る。また、斯かる図面より明らかなように印刷配線基板１とフレキシブル配線基板４とがずれても印刷配線基板用半田付けパッド３と隣のフレキシブル配線基板用半田付けパッド６との間の距離を十分空けることが出来るので、隣のパッド同士が半田付けされることはない。
【産業上の利用可能性】
【００３７】
本発明は、光ピックアップ装置に組み込まれる印刷配線基板に実施した場合について説明したが、他の電子機器に実施することは勿論可能である。
【符号の説明】
【００３８】
１        印刷配線基板
３        印刷配線基板用半田付けパッド
４        フレキシブル配線基板
６        フレキシブル配線基板用半田付けパッド
【図１】
2013120877.tif 000003
【図２】
2013120877.tif 000004
【図３】
2013120877.tif 000005
【図４】
2013120877.tif 000006
【図５】
2013120877.tif 000007
【図６】
2013120877.tif 000008